(57)【要約】【課題】基板とセンサとの配置関係を変更することなく、センサの検知能力を向上させることができる火災報知器を提供すること。【解決手段】本発明の火災報知器１は、一枚の基板１１と、前記基板上に設けられた、煙又は熱を感知して火災を検出する煙検知ユニット６と、前記基板上に設けられた、動作確認用又は警報停止用のスイッチであるタクトスイッチ１３と、前記基板１１をカバーするカバー３と、前記カバー３とともに前記基板をカバーし、前記タクトスイッチ１３と対向する位置に凹部７Ａが設けられ、この凹部７Ａで前記タクトスイッチ１３を押圧する押しボタン７とを有している。【選択図】図３
2011113539.tif 000002
【特許請求の範囲】
【請求項１】
基板と；
前記基板上に設けられた、煙又は熱を感知して火災を検出するセンサと；
前記基板上に設けられた、動作確認用又は警報停止用のスイッチと；
前記基板をカバーするカバーと；
前記カバーとともに前記基板をカバーし、前記スイッチと対向する位置に凹部が設けられ、この凹部で前記スイッチを押圧するボタンと；
を具備したことを特徴とする火災報知器。
【発明の詳細な説明】
【技術分野】
【０００１】
本発明は、煙または熱を検知するセンサユニットを有する火災報知器に関する。
【背景技術】
【０００２】
従来より、消防法施行規則第２１条や都の火災予防条例４１条に基づいて、新築及び改増築の建築対象物には自動火災報知設備の設置が義務づけられており、多くの自動火災報知器が開発され、商品化されている。
【０００３】
このような自動火災報知器としては、例えば、特許文献１に記載されているように、煙を検知する煙検知ユニットを有し、この煙検知ユニットの検知結果に基づいて火災警報を発する火災報知器がある。
【０００４】
特許文献１に記載の火災報知器は、ベースと、このベースに着脱自在に取り付けられ、煙を感知して火災を検出する煙センサを設けた警報器本体とを備え、フラッシュライトやブザーなどの増設機器を収納する凸状部を前記警報器本体の外周部に、該凸状部のベースからの高さが警報器本体の側面の高さ以下となるように配設して、煙を前記煙センサに導くように構成されている。
【０００５】
また、特許文献１に記載の火災報知器は、警報器本体を構成する保護カバーに、煙を導入する煙導入口を設けるとともに、前記凸状部の外表面形状を気体の流線に沿った形状とし、滑らかに前記保護カバーに連接するように構成して、より円滑に煙を前記煙導入口を介して煙センサに導くようにしている。また、サーミスタなどの素子を用いた熱感知式の火災報知器も知られている。
【０００６】
これらの火災報知器は、一般に、高さ寸法が大きくなる程、取り付け面からのセンサの位置が高くなり、煙や熱気流の影響が小さくなるため、高い検知能力が求められる。
【０００７】
一方、センサ位置が保護カバー表面から突出する程、検知能力は高くなるが、突出量が大きくなると、天井や壁面に取り付けたときにセンサ部分が目立ち、違和感が生じる。従って、火災報知器本体の高さ寸法を小さくするとともに、十分や検知性能を維持しながらできるだけセンサの突出量を小さくすることが望まれる。
【０００８】
他の従来技術としては、例えば、通信機能を備えた複数の火災報知器を屋内の各部屋にそれぞれ配設可能なシステムがある。  
このようなシステムは、例えば１つの火災報知器が異常発生時に警報を発したときに無線信号を送信し、屋内に配設される他の複数の火災報知器がこの無線信号を受信して警報を同時に発することにより、火災などの異常時を屋内の人たちに迅速に告知できるようにしている。
【先行技術文献】
【特許文献】
【０００９】
【特許文献１】特開２００７−２５７１０７号公報
【発明の概要】
【発明が解決しようとする課題】
【００１０】
しかしながら、特許文献１に記載の火災報知器では、煙検知ユニットの検知性能を向上させるため、或いは前記システムを構成するために通信機能を付加するのに必要な制御基板を追加設置するためなどの理由により、火災報知器本体のベース部からの高さ寸法を変更することを考慮すると、保護カバーは勿論、火災報知器本体内の基板を含む、火災報知器全体の構成部分について新たに設計しなくてはならず、コストが高価になってしまうといった不都合がある。
【００１１】
そこで、例えば、上述した通信機能を付加するのに必要な各種電子部品等を別体の制御基板に設け、既存の基板を共用化すればコストを低減することは可能である。
【００１２】
しかし、制御基板を追加すれば、例えばベース部からセンサまでの高さ寸法が大きくなるため、検知性能が低下する恐れがある。
【００１３】
そこで、検知性能を向上させるためにセンサ位置をカバーからより突出するように設ける必要があるが、共通の基板を使用すると、基板に実装したタクトスイッチ等と保護カバーが干渉してしまい保護カバーの表面とセンサとの位置関係を変更することができないという問題がある。
【００１４】
そこで、本発明は上述した事情に鑑みてなされたもので、基板とセンサとの配置関係を変更することなく、センサの検知能力を向上させることができる火災報知器を提供することを目的とする。
【課題を解決するための手段】
【００１５】
本発明に係る火災報知器は、基板と；前記基板上に設けられた、煙又は熱を感知して火災を検出するセンサと；前記基板上に設けられた、動作確認用又は警報停止用のスイッチと；前記基板をカバーするカバーと；前記カバーとともに前記基板をカバーし、前記スイッチと対向する位置に凹部が設けられ、この凹部で前記スイッチを押圧するボタンと； を具備している。
【００１６】
本発明において、前記センサは、煙を検知する煙検知ユニットであっても、熱を検知するサーミスタなどの温度センサであっても良い。また、前記スイッチは、タクトスイッチが有効であるが、接触型のスイッチであればいずれのタイプのスイッチでも良い。
【００１７】
ボタンは、カバーと別体で構成してもよいし、一体的に構成してもよい。  
凹部でスイッチを押圧するとは、ボタンを押圧操作したときに、少なくとも凹部の一部がスイッチと接触すればよく、好ましくはスイッチの一部が凹部で囲まれるように凹部内に配設されていることが望ましい。  
基板をカバーするとは、少なくとも基板表面の一部を覆う構成であればよい。
【発明の効果】
【００１８】
本発明による火災報知器によれば、基板をカバー側へ近づけることによって、火災報知器本体の取り付け面からセンサまでの位置を高くすることができるので、基板とセンサとの配置関係を変更することなく、センサの検知能力を向上させることができる。
【図面の簡単な説明】
【００１９】
【図１】本発明の火災報知器の一実施例に係り、該火災報知器の外観構成を示す斜視図。
【図２】図１の火災報知器の上面図。
【図３】図２のＡ−Ａ線断面図。
【図４】図３の主要部分を拡大した図。
【発明を実施するための最良の形態】
【００２０】
以下、図面を参照して本発明の実施例について説明する。  
図１から図４は、本発明の火災報知器の一実施の形態に係り、図１は、火災報知器の外観構成を示す斜視図、図２は、図１の火災報知器の上面図、図３は、図２のＡ−Ａ線断面図、図４は、図３の主要部分を拡大した図である。
【００２１】
図１及び図２に示すように、本実施例の火災報知器１は、火災報知器本体を構成するケース本体２と、このケース本体２内に設けられた煙検知ユニット６とを有して構成される。
【００２２】
ケース本体２は、カバー３と、このカバー３が着脱自在に取付けられるベース部４とを有して構成される。尚、ベース部４は、天井等に取り付けられる取り付け面を有し、火災報知器本体の高さとは、ケース本体２のベース部４の取り付け面からの高さを示している。
【００２３】
カバー３は、カバー表面３Ａより高さ方向に突出するカバー蓋部５と、このカバー蓋部５とカバー表面３Ａとの間に設けられた、煙を導入するための開口部８とを有して構成される。
【００２４】
カバー蓋部５は、図２に示すように、火災報知器１を平面視したときに円形を有し、前記カバー３の延設部３ａを介して、該カバー３と一体的に構成される。  
尚、この延設部３ａは、カバー蓋部５の外周側の所定位置に３つ設けられているが、この数に限定されるものではない。但し、前記開口部８の煙を導入するための面積を拡大するためには、少なくとも３以下の数により延設部３ａを構成し、或いは各延設部３ａの幅を極力狭くするように構成することが望ましい。
【００２５】
また、カバー３上には、押しボタン７と、報知用開口溝３ｂとが設けられている。この押しボタン７は、押下することで火災報知器１の動作確認を行ったり、或いは火災報知器１の表示及び音声による警報発生時に、押下することで発した表示及び音声による警報を止めたりするためのボタンである。
【００２６】
また、この押しボタン７は、内部に設けられたＬＥＤ１２（図３参照）による光が透過する材質で構成されている。
【００２７】
また、報知用開口溝３ｂは、ケース本体２内に設けられたスピーカー（図示せず）などからの音声を効果的に外部へと伝えるための貫通孔である。
【００２８】
煙検知ユニット６は、煙を検知して検知結果をケース本体２内に設けられた図示しない警報制御部に出力する。この煙検知ユニット６により煙の検知がなされて検知結果を受信すると、前記図示しない警報制御部は、異常時であるものと判断して表示及び音声による警報を発するように制御する。
【００２９】
次に、前記煙検知ユニット６を含むケース本体２内部の構成について、図３及び図４を用いて説明する。  
図３に示すように、煙検知ユニット６は、例えば円筒状に構成されたもので、側面部６Ａの外周面全体が煙を導入する導入部分として構成されている。この側面部６Ａの外周面は、煙などの気体が通過可能で、かつ、虫などが侵入しないように防虫金網等で構成されている。
【００３０】
また、煙検知ユニット６の内部には、図示はしないが、発光素子と、受光素子とが同心円状で、かつ、この同心円の中心と発光素子及び受光素子のそれぞれを結ぶ線分が所定の角度となるように配置されている。
【００３１】
この煙検知ユニット６は、電源がオン状態である場合、発光素子から定期的に光が出射されている。そして、煙検知ユニット６は、煙が侵入すると、浸入した煙の粒子によって前記光が拡散されるため、前記受光素子に光が到達し受光状態を煙の検知結果として図示しない警報制御部に出力する。
【００３２】
煙検知ユニット６は、ケース本体２内の中底部材９に固定された基板１１上の接続部材１１Ａに配設される。また、前記警報制御部（図示せず）は、前記基板１１上に設けられている。
【００３３】
本実施例の火災報知器１には、上述したように１枚の基板１１が設けられている。この基板１１上の前記押しボタン７に対応する位置には、警報発生時に光を発するＬＥＤ１２と、前記押しボタン７の押下操作を検知するタクトスイッチ１３が設けられている。
【００３４】
タクトスイッチ１３は、動作確認用又は警報停止用のスイッチを構成するもので、前記押しボタン７の押下操作に応答して、オンすることで火災報知器１の動作確認を行ったり、或いは火災報知器１の表示及び音声による警報発生時に、オフすることで発した表示及び音声による警報を止めたりするための警報停止用のスイッチである。
【００３５】
尚、本実施例では、基板１１上に配置されるスイッチは、タクトスイッチ１３に限定されるものではなく、例えば、前記押しボタン７の押下操作に連動してオン又はオフ動作する接触型のスイッチであればいずれのタイプのスイッチを用いて構成しても良い。
【００３６】
また、ケース本体２内の中底部材９には、電池収容部９Ａが設けられており、この電池収容部９Ａには、リチウム電池１０が収容されるようになっている。  
尚、図示はしないが電池収容部９Ａ内の電気接点は、接続線等によって前記基板１１上の警報制御部に電気的に接続されている。そして、リチウム電池１０から電力が前記基板１１上の警報制御部に供給されることで、前記警報制御部は、前記煙検知ユニット６、ＬＥＤ１２、図示しないスピーカーなどの駆動の制御が可能となる。
【００３７】
本実施例の火災報知器１では、図３に示すように、カバー３は、押しボタン７とともに基板１１をカバーするものである。押しボタン７は、カバー３とは別体で設けられており、前記タクトスイッチ１３に対向する位置に凹部７Ａが設けられている。
【００３８】
凹部７Ａは、タクトスイッチ１３を押圧するものであるが、押圧操作しないときには図４に示すように、少なくともタクトスイッチ１３のカバー３側上部の一部が当たらないように、タクトスイッチ１３の上部の一部が収容可能に形成されている。また、この凹部７Ａのタクトスイッチ１３側の底面部（図４では上側の面部）には、タクトスイッチ１３側の方向に突出する、ダボと呼ばれる凸部７Ａ１が設けられている。  
押しボタン７を押圧すると、この凸部７Ａ１がタクトスイッチ１３と接触してタクトスイッチ１３を押圧する。
【００３９】
この凸部７Ａ１は、タクトスイッチ１３のカバー３側上面との接触性を高めるもので、この凸部７Ａ１を設けたことにより、前記押しボタン７の押下操作の信頼性をより向上させることができる。
【００４０】
尚、前記凹部７Ａは、前記凸部７Ａ１を設けなくてもよく、前記押しボタン７の押下操作時に、その凹部７Ａの底面部が前記タクトスイッチ１３のカバー３側の上部に接触するように構成されているので、前記押しボタン７の押下操作に伴う力を確実に前記タクトスイッチ１３に伝えることができる。
【００４１】
また、押しボタン７は、図４に示すように、カバー３の内側方向に突出する突出部７ａを有し、この突出部７ａの基端側には、紐通し孔７ｂが設けられている。この紐通し７ｂには、必要であれば紐が取り付けられ、この紐は、図示はしないがカバー３に設けられた図示しない貫通孔を介してケース本体２の外部へ導出されるようになっている。すなわち、使用者が天井等に設置された火災報知器１から垂れ下がる紐を引っ張ることで、前記押しボタン７の押下操作と同じ操作を行うことができる。
【００４２】
以上説明したように、図３及び図４に示す火災報知器１は、押しボタン７が基板１１上に設けられたタクトスイッチ１３と接触する部分を押しボタン７の表面側に設定した状態を示している。すなわち、基板１１をカバー３側に最大限移動させて固定した状態を示している。
【００４３】
このため、押しボタン７に凹部７Ａを設けていない従来の押しボタンを用いた場合に比べ、センサユニット６がカバー３の表面に対して突出することになり、煙検知ユニット６の側面６Ａにおける煙の侵入面積が大きくなるため、検知能力が向上する。 
また、基板１１を上方へ設置したことにより、タクトスイッチ１３を設けた側とは反対の背面側にスペースが形成される。
【００４４】
従って、基板１１の背面側に形成されるスペース分だけ火災報知器１の高さ寸法を小さくすることができる。また、火災報知器１の高さ寸法を小さくすることによって、煙の影響が大きくなるため、相対的に検知能力が向上する。
【００４５】
さらに、例えば通信機能を付加するのに必要な各種電子部品等を背面側に設置した場合や、制御基板を別体で追加した場合であっても、火災報知器１全体の高さ寸法を小さくすることができ、結果的に検知能力を向上させることができる。
【００４６】
特許文献１に記載の従来技術では、このように基板１１のベース部４からの高さ方向の距離を大きくし、また、基板１１上に通信機能を付加するのに必要な各種電子部品等を設置して基板１１の共有化を図ったとしても、基板１１とセンサユニット６との位置関係を変更しない限りは、センサユニット６がカバー３表面から突出する量は変わらないため検知能力は変化しない。また、いずれの場合であったとしても、付加すべき構成要件に応じて高さ寸法を変更するのみであって、高さ寸法を小さくしながら付加機能を追加することはできない。
【００４７】
一方、基板１１をカバー３側に近づけようとしても、従来の押しボタン７の構成では基板上に設けられたタクトスイッチ等のスイッチ１３が保護カバー内部（カバー３に相当）にぶつかってしまう。
【００４８】
しかしながら、本実施例の火災報知器１では、このカバー３の前記押しボタン７の裏側の前記タクトスイッチ１３に対向する面に凹部７Ａが設けられているので、基板１１をカバー３側に近づけても、タクトスイッチ１３を問題なく使用することができる。
【００４９】
よって、本実施例の火災報知器１は、基板１１を共用化しながら検知能力を向上させることができる。また、通信機能等の付加機能を追加する場合であっても、基板１１の背面側にスペースが形成されるため、火災報知器１全体の高さ寸法を小さくすることができ、結果的に検知能力を向上させることができる。
【００５０】
尚、本実施例においては、前記煙検知ユニット６の検知性能をさらに向上させるために、開口部８を形成する前記カバー表面３Ａの縁部に、前記カバー３の前記カバー表面３Ａから前記カバー３の内部方向に向けて傾斜する、第１のテーパー部であるテーパー面８ａと、前記カバー蓋部５の前記縁部から前記カバー３の内部方向に向けて傾斜する、第２のテーパー部であるテーパー面８ｂとが設けられている。
【００５１】
このように、前記開口部８を２つのテーパー面８ａ、８ｂを有して構成して該開口部８を大きくすることによって、煙検知ユニット６の側面６Ａを半分以上カバー３内に配設しても所望の煙検知能力を確保することができるとともに、ケース本体２の高さ寸法を小さくすることができる。
【００５２】
さらに、前記開口部８は、前記テーパー面８ａが前記煙検知ユニット６の側面部６Ａまで延設されてなく、該側面部６Ａを露出させる隙間を形成している。  
この構成により、煙の侵入経路である開口部８において、前記隙間によって、前記煙検知ユニット６の側面部６Ａ全体を露出させることができるので、該煙検知ユニット６による煙の侵入面積を大きくすることができ、その結果、煙の侵入効率を高くすることができる。
【００５３】
本実施例の火災報知器１の動作を簡単な説明すると、上記構成の火災報知器１は、ベース部４をベースとして天井等に配設される。そして、電源を投入することにより、火災報知器１は、煙の検知による警報動作の待機状態となる。
【００５４】
ここで、煙が発生すると、この煙は屋内の壁面を伝わり、その後、煙の侵入効率の高い火災報知器１の開口部８へと導かれる。  
すると、火災報知器１の煙検知ユニット６は、この煙を検知して検知結果を基板１１上の警報制御部（図示せず）に出力する。  
これにより、この図示しない警報制御部は、前記検知結果が供給されると、異常時であるものと判断して、ＬＥＤ１２及び図示しないスピーカーを駆動させることにより、表示及び音声による警報が発せられる。
【００５５】
このとき、無線機能を付加した場合には、該火災報知器１の警報制御部は、基板１１に設けられた通信機能のための各種電子部品を制御して、無線信号を生成し、生成した無線信号を他の屋内に配設される複数の火災報知器に送信することができる。
【００５６】
また、他の屋内に配設される火災報知器１がこの無線信号を受信して警報を同時に発することにより、火災などの異常時を屋内の人たちに迅速に告知することができる。
【００５７】
したがって、本実施例によれば、上述した構成により、付加機能を追加して火災報知器の高さ寸法が大きくなり、より高い検知能力が必要になった場合に、基板１１を共用化するとともにタクトスイッチ１３を問題なく使用でき、センサユニット６の位置をカバー３表面から突出させることができる。
【００５８】
尚、本実施例では、センサとして煙検知ユニット６を用いた構成について説明したが、これに限定されるものではなく、例えば、センサとして熱を検知するサーミスタ等の温度センサを用いて熱検知式の火災報知器１として構成した場合でも、本実施例と同様の効果が得られる。
【００５９】
本発明は、上述した実施例及び変形例に限定されるものではなく、本発明の要旨を変えない範囲において、種々の変更、改変等が可能である。
【符号の説明】
【００６０】
１…火災報知器、
２…ケース本体（火災報知器本体）、
３…カバー、
３Ａ…カバー表面、
３ａ…延設部、
３ｂ…報知用開口溝、
４…ベース部
５…カバー蓋部、
６…煙検知ユニット、
６Ａ…側面部、
７…押しボタン、
７Ａ…凹部、
７Ａ１…凸部、
８…開口部、
８ａ…テーパー面、
８ｂ…テーパー面、
９…中底部材、
９Ａ…電池収容部、
１０…リチウム電池、
１１…基板、
１２…ＬＥＤ、
１３…タクトスイッチ（スイッチ）
【図１】
2011113539.tif 000003
【図２】
2011113539.tif 000004
【図３】
2011113539.tif 000005
【図４】
2011113539.tif 000006